(57)【特許請求の範囲】
【請求項１】
予め定められた領域内において無線ネットワークを介して第１の通信方式により複数の端末装置と通信を行う通信手段と、
前記第１の通信方式とは異なる第２の通信方式により、前記通信の設定に関する設定情報であって前記領域の面積の情報を含む設定情報を取得する設定情報取得手段と、
前記設定情報取得手段によって取得された前記設定情報に基づいて、前記面積に対応するＷｉ−Ｆｉ（登録商標）出力レベルの設定を含む前記無線ネットワークの設定を行う無線ネットワーク設定手段と、
を備えたことを特徴とする無線通信装置。
【請求項２】
前記領域は、建物内の部屋の領域であって、
前記設定情報取得手段は、前記部屋内に設けられ所定の時間間隔で前記設定情報を送信する送信手段から前記設定情報を受信するものであることを特徴とする請求項１に記載の無線通信装置。
【請求項３】
前記設定情報取得手段は、さらに、部屋の許容人数を示す情報を前記設定情報として取得し、
前記無線ネットワーク設定手段は、前記設定情報取得手段によって取得された前記設定情報に基づいて当該部屋における接続デバイス数の上限値を設定するものであることを特徴とする請求項２に記載の無線通信装置。
【請求項４】
前記設定情報取得手段は、さらに、部屋の用途を示す情報を前記設定情報として取得し、
前記無線ネットワーク設定手段は、前記設定情報取得手段によって取得された前記設定情報に基づいてＮＡＴ機能のオン／オフおよびＤＨＣＰ機能のオン／オフを設定するものであることを特徴とする請求項２又は請求項３に記載の無線通信装置。
【請求項５】
請求項１から請求項４までのいずれか１項に記載の無線通信装置と、
前記無線ネットワークを介して前記第１の通信方式により前記通信手段と通信する複数の端末装置と、
前記第２の通信方式により前記通信の設定に関する設定情報を送信する送信手段と、
を備えたことを特徴とする無線通信システム。
【発明の詳細な説明】
【技術分野】
【０００１】
本発明は、無線通信装置、無線通信システム及び無線ネットワーク設定方法に関する。
【背景技術】
【０００２】
昨今のワークスタイル変革の流れで、サテライトオフィスやフリーオフィス等（以下「サテライトオフィス等」という）の普及が進んでいる。それに合わせてモバイル端末（ノートＰＣ、タブレット、スマートフォン）が業務で多く使われるようになっており、サテライトオフィス等でも無線ＬＡＮ（Local Area Network）の環境が必要となる場合が増えている。
【０００３】
サテライトオフィス等で無線ＬＡＮの環境構築を行う場合、サテライトオフィス等の各区画で共通化するとセキュリティ上の問題が生じやすくなるため、必要な区画に必要な時だけ使用できるような動的な環境構築が望ましい。さらには無線ＬＡＮの設定や使用が容易にできるのが望ましい。
【０００４】
従来、無線ＬＡＮの設定が容易にできるようにしたものとしては、ビルの空調システムに適用される無線通信システムが知られている（例えば、特許文献１参照）。
【０００５】
特許文献１に記載のものは、集中制御局として形成されるアクセスポイントと、空調機を制御するため空調機ごとに設けられる複数の無線ノードと、これらの無線ノードと通信して所定の設定値を設定する携帯移動可能な設定端末と、を備えている。
【０００６】
この構成において、従来のものは、無線ノードが空調機を制御している通常動作時には、アクセスポイントと各無線ノードとの間で通常時チャンネルを用いて制御を実行し、無線ノードの初期設定やこの初期設定値を変更する場合には、通常時チャンネルから初期化チャンネルに切り替えて、設定端末から設定値を無線ノードに送信するようになっている。
【発明の概要】
【発明が解決しようとする課題】
【０００７】
しかしながら、特許文献１に記載のものでは、例えば初期化時の設定において、通常時チャンネル及び初期化チャンネルの周波数設定や、無線ノードの台数と設定値のデータ量とから初期化期間の設定を行う構成となっているため、無線ネットワークの運用に専門知識が必要となる。
【０００８】
したがって、特許文献１に記載のものをサテライトオフィス等の無線ＬＡＮの環境構築に応用しようとすると、無線ネットワークに関する専門知識を有する有識者の確保や外部委託が必要となり、サテライトオフィス等の運用が煩雑化し、運用コストが増大してしまう。
【０００９】
本発明は、前述の事情に鑑みてなされたものであり、無線ネットワークに関する知識のない利用者であっても、サテライトオフィス等の無線ＬＡＮの環境構築を容易に行うことができる無線通信装置、無線通信システム及び無線ネットワーク設定方法を提供することを目的とする。
【課題を解決するための手段】
【００１０】
本発明の無線通信装置は、予め定められた領域内において無線ネットワークを介して第
１の通信方式により複数の端末装置と通信を行う通信手段と、前記第１の通信方式とは異なる第２の通信方式により、前記通信の設定に関する設定情報であって前記領域の面積の情報を含む設定情報を取得する設定情報取得手段と、前記設定情報取得手段によって取得された前記設定情報に基づいて、前記面積に対応するＷｉ−Ｆｉ（登録商標）出力レベルの設定を含む前記無線ネットワークの設定を行う無線ネットワーク設定手段と、を備えた構成を有している。
【発明の効果】
【００１１】
本発明は、無線ネットワークに関する知識のない利用者であっても、サテライトオフィス等の無線ＬＡＮの環境構築を容易に行うことができるという効果を有する無線通信装置、無線通信システム及び無線ネットワーク設定方法を提供することができるものである。
【図面の簡単な説明】
【００１２】
【図１】本発明に係る無線通信システムの一実施形態における機能ブロック図である。
【図２】本発明に係る無線通信システムの一実施形態におけるハードウェア構成図である。
【図３】本実施形態におけるＢＬＥ信号を構成するアドバタイズメントパケットの構成図である。
【図４】本実施形態において、ＢＬＥ送信機が設けられた部屋に利用者が無線ＡＰを設置する場合のタイミングチャートである。
【図５】本実施形態における無線ＡＰの動作例を示すフローチャートである。
【図６】本発明に係る無線通信システムの一実施例であって、無線ＡＰ単体の運用時の構築例を示す図である。
【図７】本発明に係る無線通信システムの一実施例であって、ＷＡＮに接続しての運用時の構築例を示す図である。
【図８】本発明に係る無線通信システムの一実施例であって、ゲスト接続による運用時の構築例を示す図である。
【発明を実施するための形態】
【００１３】
以下、本発明の実施形態について図面を用いて説明する。なお、本発明の無線通信装置を、建物内の部屋（サテライトオフィス等）において無線ＬＡＮにより無線通信する無線通信システムに適用した例を挙げて説明する。
【００１４】
まず、本発明に係る無線通信システムの一実施形態における構成について説明する。
【００１５】
図１に示すように、本実施形態における無線通信システム１は、ブルートゥース（Bluetooth（登録商標））通信方式（以下「ＢＴ通信方式」と記す）に基づいた電波を送信するＢＬＥ（Bluetooth Low Energy）送信機２と、無線ネットワーク５を介しワイファイ（Ｗｉ−Ｆｉ（登録商標））通信方式（以下「ＷＦ通信方式」と記す）に基づいて通信する複数の端末装置３と、送信機２の送信電波の受信及び各端末装置３との通信を行う無線アクセスポイント（ＡＰ）１０と、を備えている。
【００１６】
ＢＬＥ送信機２は、サテライトオフィス等に設けられ、例えば屋内測位技術に利用される装置であって、ＢＴ通信方式のビーコンを含む極低電力のＢＬＥ信号４を所定の時間間隔で送信するようになっている。このＢＬＥ送信機２は、送信手段の一例である。
【００１７】
なお、ＢＬＥ送信機２が定期的に送信するＢＬＥ信号４は、後述するように、無線ＡＰ１０が設置される部屋において無線ネットワーク５の環境構築を行うための設定情報を含む。また、ＢＬＥ送信機２は、ＷＦ通信方式とは異なる通信方式を用いる通信機器であればよい。また、ＢＬＥ送信機２に代えて、例えばスマートフォンを利用する構成としてもよい。
【００１８】
複数の端末装置３は、ＷＦ通信方式により無線ネットワーク５を介して無線ＡＰ１０と通信するようになっている。なお、複数の端末装置３は、例えば、ノートＰＣ、タブレット、スマートフォン等である。
【００１９】
無線ＡＰ１０は、無線通信制御部１１、有線通信制御部１２、装置制御部１３、操作制御部１４、メモリ１５、不揮発メモリ１６を備えている。
【００２０】
無線通信制御部１１は、無線通信機能を司るものであり、ブルートゥース（ＢＴ）受信部１１ａ、ＷＦ通信部１１ｂを備えている。
【００２１】
ＢＴ受信部１１ａは、ＢＬＥ送信機２から送信されたＢＬＥ信号４を受信し、ＢＬＥ信号４に含まれる設定情報を取得するようになっている。
【００２２】
ＷＦ通信部１１ｂは、無線ネットワーク５を介して、ＷＦ通信方式により各端末装置３と通信するようになっている。
【００２３】
すなわち、ＷＦ通信部１１ｂは、予め定められた部屋（領域）内において無線ネットワーク５を介してＷＦ通信方式（第１の通信方式）により複数の端末装置３と通信を行う通信手段の一例である。
【００２４】
また、ＢＴ受信部１１ａは、ＢＴ通信方式（第１の通信方式とは異なる第２の通信方式）により複数の端末装置３の通信の設定に関する設定情報を取得する設定情報取得手段の一例である。
【００２５】
有線通信制御部１２は、例えば企業内のＷＡＮ（Wide Area Network）に無線ＡＰ１０がケーブルで接続された際に通信制御を行うようになっている。なお、本実施形態では有線通信を例に挙げたが、例えば、携帯電話や衛星通信等で使われる広域無線通信方式を行う装置であってもよい。
【００２６】
装置制御部１３は、無線ＡＰ１０の全体の制御を司るものである。例えば、装置制御部１３は、ＢＴ受信部１１ａがＢＬＥ信号４を受信して取得した設定情報に基づいて無線ネットワーク５の設定を行うようになっている。すなわち、装置制御部１３は、無線ネットワーク設定手段の一例である。
【００２７】
また、装置制御部１３は、ＢＬＥ送信機２が設けられた部屋に無線ＡＰ１０が設置される場合に無線ネットワーク５の環境構築を行う部屋設定モードと、複数の端末装置３がＷＦ通信方式により無線ネットワーク５を介して通信する通常モードと、を切り替えるようになっている。
【００２８】
また、装置制御部１３は、後述する部屋情報に含まれる部屋の面積に対応するＷＦ出力レベルの情報に基づいて、ＷＦ通信部１１ｂのＷＦ出力レベルを設定することができるようになっている。これにより、無線ＡＰ１０は、ＷＦ通信部１１ｂのＷＦ出力レベルを最適化することができ、サテライトオフィス等の限られたスペースのみでＷＦ通信方式を用いた通信が行えるためセキュリティを担保することができる。
【００２９】
操作制御部１４は、例えば、無線ＡＰ１０の動作を利用者が設定可能なボタンスイッチや、所定の情報を表示する表示器、ボタンスイッチ及び表示器等を制御する制御部を備えている。
【００３０】
メモリ１５は、無線通信制御部１１、有線通信制御部１２、装置制御部１３及び操作制御部１４の機能を実現するソフトウェアが実行時使用するものである。
【００３１】
不揮発メモリ１６は、無線ＡＰ１０の電源が切断されても保持しなくてはならない情報を格納するものである。この種の情報例としては、無線ＡＰ１０が設置される部屋の部屋情報（部屋の面積や許容人数、用途等）、無線ネットワーク５を識別するためのＳＳＩＤ（Service Set Identifier）や、無線ネットワーク５の利用者を認証するための暗号キーの情報等がある。
【００３２】
次に、本実施形態における無線ＡＰ１０のハードウェア構成の概要について、図２に例示するハードウェア構成図を用いて説明する。無線ＡＰ１０は、図２に示されているハードウェア構成及びプログラムによって、図１に示されている各機能構成を有する。
【００３３】
図２に示すように、本実施形態における無線ＡＰ１０は、種々の処理を実行するＣＰＵ２１と、ＣＰＵ２１の処理に必要な各種プログラムやデータを記憶するＲＯＭ２２と、ＣＰＵ２１での処理途中のデータ等が一時的に格納されるＲＡＭ２３と、無線ＡＰ１０の電源が切断されても保持しなくてはならない情報が格納されるＥＥＰＲＯＭ２４と、各種スイッチやＷＡＮコネクタ等が接続される入出力インタフェース（Ｉ／Ｆ）部２５と、各構成要素間においてデータを転送するバス２６と、を備えている。
【００３４】
例えば、ＲＯＭ２２には、ＢＴ通信方式及びＷＦ通信方式に基づく各処理を制御する制御用プログラムや、部屋情報に関連する情報、例えば、部屋の面積に対応するＷＦ出力レベルの情報などが記憶され、記憶装置として機能するようになっている。ＣＰＵ２１は、このＲＯＭ２２に記憶された制御プログラムに基づいて演算処理を実行するようになっている。また、ＲＡＭ２３は、ＣＰＵ２１による演算結果や操作制御部１４が処理する情報等を一時的に記憶するようになっている。
【００３５】
ＣＰＵ２１、ＲＯＭ２２、ＲＡＭ２３及びＥＥＰＲＯＭ２４は、バス２６を介して互いに接続されるとともに、入出力Ｉ／Ｆ部２５と接続されている。入出力Ｉ／Ｆ部２５には、ボタンスイッチ２７、ＷＡＮコネクタ２８が接続されている。
【００３６】
ボタンスイッチ２７は、利用者が、ＢＬＥ送信機２が設けられた部屋に無線ＡＰ１０を設置する際に、無線ネットワーク５の環境構築を行う場合に押下されるものである。
【００３７】
ＷＡＮコネクタ２８は、例えば、無線ＡＰ１０を企業内のＷＡＮにケーブルで接続する場合に使用されるものである。
【００３８】
次に、本実施形態におけるＢＬＥ信号４について図３を用いて説明する。
【００３９】
ＢＬＥ信号４は、例えば、図３に示すアドバタイズメントパケット３０によって構成される。
【００４０】
アドバタイズメントパケット３０は、ＰＤＵ（Protocol Data Unit）ペイロード３１を有している。ＰＤＵペイロード３１は、アドバタイザのアドレスを６オクテットのデータ長で示すＡｄｖＡ部と、後続のアドバタイジングデータと、を有する。アドバタイジングデータは、２６オクテットのデータ長のＤａｔａ部３２を有する。
【００４１】
Ｄａｔａ部３２は、アドバタイズメントパケット３０を利用する各企業の任意データ（Manufacturer Specific Data：製造者任意情報）が記述されるデータ領域である。すなわち、無線ＡＰ１０は、製造者任意情報を参照することにより、ＢＬＥ送信機２が設けられた部屋が自社のサテライトオフィス等であるか否かを把握することができる。
【００４２】
本実施形態では、Ｄａｔａ部３２（２６オクテット）には、製造者任意情報として、無線ＡＰ１０を識別可能なベンダーコード（２オクテット）と、ＢＬＥ送信機２が設置してある部屋において無線ネットワーク５の環境構築を行うための設定情報（２４オクテット）とが記述してある。
【００４３】
具体的には、設定情報は、データ種別、部屋情報、ＳＳＩＤ及び暗号キーの情報を含む。この設定情報は、例えばシステム管理者によって、サテライトオフィス等ごとに予め設定されるものである。
【００４４】
データ種別の情報は、１オクテットのデータ長で示され、"００"は部屋情報、"０１"はその他の情報を示す。
【００４５】
部屋情報は、１オクテット（８ビット）のデータ長で示され、０〜３ビットは部屋の面積、４〜５ビットは部屋の許容人数、６〜７ビットは部屋の用途の各情報を示す。部屋の用途の情報において、"０"は無線ＡＰ１０単体で運用、"１"はＷＡＮに接続して運用、"２"はゲスト接続による運用、"３"は未定義（空き）であることを示す。
【００４６】
ＳＳＩＤの情報は、ＷＦ通信方式に基づく無線ネットワーク５を識別するためのセキュリティに関する認証関連情報である。暗号キーは、ＷＦ通信方式に基づく無線ネットワーク５の利用者を認証するためのセキュリティに関する認証関連情報である。
【００４７】
次に、ＢＬＥ送信機２が設けられた部屋に、利用者が無線ＡＰ１０を設置する場合の無線通信システム１の動作について図４を用いて説明する。この図４は、本実施形態における無線ネットワーク設定方法を示すタイミングチャートである。
【００４８】
利用者によってボタンスイッチ２７が押下されると、操作制御部１４は、ボタンスイッチ２７の押下を認識し（ステップＳ１）、その旨を装置制御部１３に通知する。
【００４９】
装置制御部１３は、無線ＡＰ１０を部屋設定モードに設定し（ステップＳ２）、その旨を無線通信制御部１１に通知する。
【００５０】
無線通信制御部１１は、ＢＴ受信部１１ａによりＢＬＥ信号４の監視を開始する（ステップＳ３）。
【００５１】
ＢＴ受信部１１ａは、ＢＬＥ送信機２が定期的に送出してくるＢＬＥ信号４（Advertising信号）を受信し解析を行い、ＢＬＥ信号４から部屋情報を抽出する（ステップＳ４）。
【００５２】
無線通信制御部１１は、ＢＴ受信部１１ａが抽出した部屋情報を装置制御部１３に出力する。装置制御部１３は、入力した部屋情報に基づいて、不揮発メモリ１６に記憶されていた情報の変更（書き換え）を行って（ステップＳ５）、その旨を無線通信制御部１１に通知する。
【００５３】
無線通信制御部１１は、ＢＴ受信部１１ａによるＢＬＥ信号４の監視を終了する（ステップＳ６）。
【００５４】
装置制御部１３は、無線ＡＰ１０を部屋設定モードから通常モードに設定する（ステップＳ７）。
【００５５】
次に、本実施形態における無線ＡＰ１０の動作及び無線ネットワーク設定方法について図５を用いて説明する。なお、初期状態では、無線ＡＰ１０は通常モードに設定されているものとする。
【００５６】
装置制御部１３は、部屋設定モードに設定するか否かを判断する（ステップＳ１１）。具体的には、装置制御部１３は、ボタンスイッチ２７が押下されている場合には部屋設定モードに設定すると判断し、ボタンスイッチ２７が押下されていない場合には部屋設定モードに設定せず通常モードを維持すると判断する。
【００５７】
ステップＳ１１において、部屋設定モードに設定すると判断された場合には、装置制御部１３は、ＢＴ受信部１１ａが受信したＢＬＥ信号４のＤａｔａ部３２に基づき、以下のように処理する。
【００５８】
すなわち、装置制御部１３は、Ｄａｔａ部３２に含まれる製造者任意情報が自社用で、かつ、データ種別が"部屋情報"であるか否かを判断する（ステップＳ１２）。
【００５９】
ステップＳ１２において、Ｄａｔａ部３２に含まれる製造者任意情報が自社用で、かつ、データ種別が"部屋情報"であると判断された場合には、装置制御部１３は、部屋情報から"面積"の情報を取り出して、その部屋の面積に対応するＷＦ出力レベルをＷＦ通信部１１ｂに対し設定する（ステップＳ１３）。
【００６０】
装置制御部１３は、部屋情報から"許容人数"の情報を取り出して、その部屋における接続デバイス数の上限値を設定する（ステップＳ１４）。
【００６１】
装置制御部１３は、部屋情報から"用途"の情報を取り出す（ステップＳ１５）。
【００６２】
装置制御部１３は、"用途"の情報が無線ＡＰ１０単体の運用を示す情報である否かを判断する（ステップＳ１６）。
【００６３】
ステップＳ１６において、無線ＡＰ１０単体の運用を示す情報であると判断された場合には、装置制御部１３は、ＮＡＴ機能をオフ、ＤＨＣＰ機能をオンに設定して（ステップＳ１７）、ステップＳ２４に進む。
【００６４】
ステップＳ１６において、無線ＡＰ１０単体の運用を示す情報であると判断されなかった場合には、装置制御部１３は、"用途"の情報がＷＡＮ接続を示す情報である否かを判断する（ステップＳ１８）。
【００６５】
ステップＳ１８において、"用途"の情報がＷＡＮ接続を示す情報であると判断された場合には、装置制御部１３は、ＮＡＴ機能をオフ、ＤＨＣＰ機能をオフに設定して（ステップＳ１９）、ステップＳ２４に進む。
【００６６】
ステップＳ１８において、ＷＡＮ接続を示す情報であると判断されなかった場合には、装置制御部１３は、"用途"の情報がゲスト接続を示す情報である否かを判断する（ステップＳ２０）。
【００６７】
ステップＳ２０において、"用途"の情報がゲスト接続を示す情報であると判断された場合には、装置制御部１３は、ＮＡＴ機能をオン、ＤＨＣＰ機能をオンに設定して（ステップＳ２１）、ステップＳ２４に進む。
【００６８】
装置制御部１３は、Ｄａｔａ部３２からＳＳＩＤの情報を取り出して不揮発メモリ１６に格納する（ステップＳ２２）。
【００６９】
装置制御部１３は、Ｄａｔａ部３２から暗号キーの情報を取り出して不揮発メモリ１６に格納する（ステップＳ２３）。
【００７０】
装置制御部１３は、自動リブートを実行する（ステップＳ２４）。その結果、装置制御部１３によって設定された各種情報の設定が反映されるので、無線ＡＰ１０が設置された部屋に最適化された無線ＬＡＮ環境が構築されることとなる。
【００７１】
なお、ステップＳ１１において部屋設定モードに設定すると判断されなかった場合、及び、ステップＳ１２において製造者任意情報が自社用で、かつ、データ種別が"部屋情報"であると判断されなかった場合には、処理を終了する。
【００７２】
前述のように、本実施形態における無線ＡＰ１０は、ＢＬＥ送信機２が設けられたサテライトオフィス等において、無線ＡＰ１０のボタンスイッチ２７が利用者によって押下されるという簡単な操作に応じて、サテライトオフィス等の必要な区画に必要な時だけ、さらには無線ＬＡＮの設定や使用が容易にできるよう動的な環境構築ができる。したがって、無線ネットワークに関する知識のない利用者であっても、サテライトオフィス等に無線ＡＰ１０を設置したり、取り外したりすることを容易に行える。
【００７３】
次に、図６〜図８を用いて実施例を説明する。
【００７４】
図６は、部屋情報に含まれる"用途"の情報が無線ＡＰ１０単体の運用を示す情報である場合に構築される一実施例を示す図である。図示のように、無線通信システム１ａは、ＢＬＥ送信機２と、無線ＡＰ１０と、複数の端末装置３としてのノートＰＣ３ａ、タブレットＰＣ３ｂ及び電子黒板３ｃと、を備えている。
【００７５】
図７は、部屋情報に含まれる"用途"の情報がＷＡＮに接続して運用を示す情報である場合に構築される一実施例を示す図である。図示のように、無線通信システム１ｂは、ＢＬＥ送信機２と、無線ＡＰ１０と、複数の端末装置３としてのノートＰＣ３ａ及びタブレットＰＣ３ｂと、ＷＡＮ６と、このＷＡＮ６に接続された電子黒板３ｃと、を備えている。この場合、無線ＡＰ１０の装置制御部１３は、ＢＬＥ送信機２からＷＡＮ６に接続して運用を示す情報を取得すると、無線ＡＰ１０自身をＬ２スイッチとして設定し、通常利用のＷＡＮ６に有線接続する例である。電子黒板３ｃとの通信制御は、有線通信制御部１２（図１参照）によって制御される。
【００７６】
図８は、部屋情報に含まれる"用途"の情報がゲスト接続による運用を示す情報である場合に構築される一実施例を示す図である。図示のように、無線通信システム１ｃは、ＢＬＥ送信機２と、無線ＡＰ１０と、複数の端末装置３としてのノートＰＣ３ａ及びタブレットＰＣ３ｂと、ＷＡＮ６と、ＷＡＮ６に接続されたインターネット７と、を備えている。
【００７７】
この場合、無線ＡＰ１０がＮＡＴ機能ありのルータとなりＷＡＮ６に接続するが、独立したゲスト用のネットワークを構成する。また、無線ＡＰ１０とＷＡＮ６との間、ＷＡＮ６とインターネット７との間にＵＴＭ（Unified Threat Management）８及び９を設置し、ＷＡＮ６へのセキュリティ脅威に対するリスクを回避する。この構成は、ゲストネットワークからもＵＴＭ８及び９経由でインターネット７の使用を許容することを想定している。
【００７８】
以上のように、本実施形態における無線ＡＰ１０は、サテライトオフィス等に設けられたＢＬＥ送信機２からＢＴ通信方式のＢＬＥ信号４を受信し、無線ネットワーク５の環境構築を行うための設定情報を取得する構成を有し、利用者によってボタンスイッチ２７が押下されると、無線ネットワーク５の環境構築が自動的に行われるようになっている。
【００７９】
したがって、本実施形態における無線ＡＰ１０は、無線ネットワークに関する知識のない利用者であっても、サテライトオフィス等の無線ＬＡＮの環境構築を容易に行うことができる。
【００８０】
また、本実施形態における無線ＡＰ１０は、自身が設置される部屋の部屋情報を取得し、取得した部屋情報に基づいて無線ネットワーク５の環境構築を自動的に行うようになっているので、自身が設置される部屋に最適化した無線ＬＡＮ環境を構築することができる。
【００８１】
また、本実施形態における無線ＡＰ１０は、無線ネットワーク５で用いられるＷＦ通信方式とは異なるＢＴ通信方式により部屋情報を取得する構成としたので、無線ネットワーク５を構築する前に部屋情報を取得して無線ネットワーク５の環境構築に適用することができる。
【００８２】
また、本実施形態における無線ＡＰ１０は、サテライトオフィス等に設けられ極低電力のＢＬＥ信号４を所定の時間間隔で送信するＢＬＥ送信機２を用いることにより、限られたスペースのみで各端末装置３による通信を有効にすることができ、セキュリティを担保することができる。
【符号の説明】
【００８３】
１、１ａ、１ｂ、１ｃ  無線通信システム
２  ＢＬＥ送信機（送信手段）
３  端末装置
４  ＢＬＥ信号（設定情報）
５  無線ネットワーク
６  ＷＡＮ
７  インターネット
１０  無線ＡＰ（無線通信装置）
１１ａ  ＢＴ受信部（設定情報取得手段）
１１ｂ  ＷＦ通信部（通信手段）
１３  装置制御部（無線ネットワーク設定手段）
【先行技術文献】
【特許文献】
【００８４】
【特許文献１】特開２００８−２２８１９１号公報
【図１】
0006679961.tif 000002
【図２】
0006679961.tif 000003
【図３】
0006679961.tif 000004
【図４】
0006679961.tif 000005
【図５】
0006679961.tif 000006
【図６】
0006679961.tif 000007
【図７】
0006679961.tif 000008
【図８】
0006679961.tif 000009